(57)【要約】【課題】複数の対物レンズを有するピックアップ装置において、良好な重量バランスをとりつつピックアップ装置自体を堅牢な構造とすることを可能とするピックアップ装置及びそのようなピックアップ装置を有する記録媒体再生装置を提供することを目的とする。【解決手段】記録媒体から光を受光する第１レンズ（１１）と、記録媒体から光を受光する第２レンズ（１２）と、第１及び第２レンズを保持するレンズホルダ（１５）と、レンズホルダの略両側にそれぞれ配置される第１及び第２駆動部材保持部（１６、１７）と、第１及び第２駆動部材保持部に備えられるレンズホルダを駆動するための駆動部材（７１〜７６）と、第１及び第２駆動部材保持部を接続する補強部材（５０）を有することを特徴とするピックアップ装置（１０）、及びそのようなピックアップ装置を有する記録媒体再生装置（１）。【選択図】図３
2009032316.tif 000002
【特許請求の範囲】
【請求項１】
記録媒体から光を受光する第１レンズと、
記録媒体から光を受光する第２レンズと、
前記第１及び第２レンズを保持するレンズホルダと、
前記レンズホルダの略両側にそれぞれ配置される第１及び第２駆動部材保持部と、
前記第１及び第２駆動部材保持部に備えられる前記レンズホルダを駆動するための駆動部材と、
前記第１及び第２駆動部材保持部を接続する補強部材と、
を有することを特徴とするピックアップ装置。
【請求項２】
前記補強部材は、前記第１レンズと前記第２レンズとの重量差を補正する、請求項１に記載のピックアップ装置。
【請求項３】
前記補強部材は、前記第１レンズの重量と前記第２レンズの重量との差を補正し、前記レンズ可動部の重心を前記第１及び第２レンズの略中央部に配置させる、請求項１に記載のピックアップ装置。
【請求項４】
前記駆動部材は、駆動コイルであり、
前記補強部材は、前記駆動コイルで発生する熱を放熱する、請求項１〜３の何れか一項に記載のピックアップ装置。
【請求項５】
前記駆動部材は、駆動コイルであり、
前記補強部材は金属材料から構成され、
前記補強部材の末端部は前記駆動コイルに近接して配置されている、請求項１〜３の何れか一項に記載のピックアップ装置。
【請求項６】
前記駆動部材は、前記第１駆動部材保持部に備えられる第１駆動コイルと、前記第２駆動部材保持部に備えられる第２駆動コイルとを有し、
前記第１駆動コイルと前記第２駆動コイルは、前記補強部材に配置された接続線によって接続される、請求項１〜５の何れか一項に記載のピックアップ装置。
【請求項７】
前記駆動部材は、前記第１駆動部材保持部に備えられる第１フォーカシング用駆動コイル及び第１トラッキング用駆動コイルと、前記第２駆動部材保持部に備えられる第２フォーカシング用駆動コイル及び第２トラッキング用駆動コイルとを有し、
前記第１フォーカシング用駆動コイルと前記第２フォーカシング用駆動コイルは前記補強部材に配置された第１接続線によって接続され、前記第１トラッキング用駆動コイルと前記第２トラッキング用駆動コイルは前記補強部材に配置された第２接続線によって接続される、請求項１〜５の何れか一項に記載のピックアップ装置。
【請求項８】
記録媒体から光を受光する第１レンズと、記録媒体から光を受光する第２レンズと、前記第１及び第２レンズを保持するレンズホルダと、前記レンズホルダの略両側にそれぞれ配置される第１及び第２駆動部材保持部と、前記第１及び第２駆動部材保持部に備えられる前記ホルダを駆動するための駆動部材と、前記第１及び第２駆動部材保持部を接続する補強部材を有するピックアップ装置と、
前記ピックアップ装置を移動させる移動手段と、
を有することを特徴とする記録媒体再生装置。
【請求項９】
前記ピックアップ装置は、前記第１レンズで受光した光を導くための第１立上ミラーと、前記第２レンズで受光した光を導くための第２立上ミラーとを更に有し、
前記補強部材は、前記第１及び第２立上ミラーの間に配置される、請求項８に記載の記録媒体再生装置。
【請求項１０】
前記ピックアップ装置は前記レンズホルダを弾性支持する支持ワイヤを更に有し、
前記駆動部材は、前記第１駆動部材保持部に備えられる第１駆動コイルと、前記第２駆動部材保持部に備えられる第２駆動コイルとを有し、
前記第１駆動コイルと前記第２駆動コイルは、前記補強部材に配置された接続線を介して、前記支持ワイヤと接続される、請求項８に記載の記録媒体再生装置。
【発明の詳細な説明】
【技術分野】
【０００１】
本発明は、ピックアップ装置及び記録媒体再生装置に関するものである。
【背景技術】
【０００２】
光ディスク用の再生装置において、１つの対物レンズを保持するレンズ保持部を、記録媒体の所定のトラック面上に追従させるために、トラッキング方向及びフォーカシング方向に移動し、その際のバランスをとるためにレンズ保持部にバランスウエイトを配置することが知られている（例えば、特許文献１及び２）。
【０００３】
また、１つの対物レンズを保持するレンズ保持部のバランスをとるための金属製の重心調整部材を、駆動コイルの近傍に配置し、駆動コイルの放熱板として利用することが知られている（例えば、特許文献３）。
【０００４】
【特許文献１】特開昭６１−２１０５２９号公報（図１）
【特許文献２】特開平３−１５４２３５号公報（図２）
【特許文献３】特開２００１−２３２０２公報（図１）
【発明の開示】
【発明が解決しようとする課題】
【０００５】
近年、光ディスク等の記録媒体再生装置では、ＣＤ、ＤＶＤ、ＢＤ（Blue-ray Disc）、ＨＤ−ＤＶＤ（High Definition Digital Versatile Disc)、ＭＤ等の多くの規格に対応しなければならず、そのために、複数の対物レンズを搭載するレンズ可動部を有する場合がある。それらの対物レンズは、利用される光ビームの透過率及びＮＡ（開口率）等に対応するために、必ずしも同じ材質且つ同じ大きさとはならない。即ち、対物レンズ間で重量のアンバランスが生じるという問題があった。
【０００６】
また、光ディスク側に近接して配置された複数の対物レンズを駆動するためのアクチュエータは、自然と対物レンズの両脇に配置されることとなるが、記録媒体の記録密度が高くなるに従い、ＮＡが大きい対物レンズを用いることとなるため、対物レンズは光ディスク等の記録媒体により近接配置する必要が生じる。すると、レンズ可動部の重心位置が対物レンズ側に移動してしまい、トラッキング方向へレンズ可動部を移動した場合に、バランスが崩れて移動制御が行いにくいという問題があった。
【０００７】
そこで、本発明は、上記の問題点を解決することを可能とするピックアップ装置及び記録媒体再生装置を提供することを目的とする。
また、本発明は、良好な重量バランスをとりつつピックアップ装置自体を堅牢な構造とすることを可能とするピックアップ装置及びそのようなピックアップ装置を有する記録媒体再生装置を提供することを目的とする。
【０００８】
さらに、本発明は、可動部中心と駆動中心のズレ（アンバランス）によって、駆動時に生じるレンズ傾きによるコマ収差の発生に基づく再生信号の劣化を防止することを可能とする記録媒体再生装置を提供することを目的とする。
さらに、本発明は、薄型ヘッド対応によるレンズ駆動部とヘッド光路との重なりをよける為に、光ヘッドの構造が弱くなり、構造共振周波数が低くなることを防止することを可能とする記録媒体再生装置を提供することを目的とする。
さらに、本発明は、複数の記録媒体に対応するためのＤＣフォーカスオフセット駆動や高い加速度（運動性能）を得るために、発熱するコイルの焼付け及び性能の低下を防止することを可能とする記録媒体再生装置を提供することを目的とする。
【課題を解決するための手段】
【０００９】
本発明に係るピックアップ装置は、記録媒体から光を受光する第１レンズと、記録媒体から光を受光する第２レンズと、第１及び第２レンズを保持するレンズホルダと、レンズホルダの略両側にそれぞれ配置される第１及び第２駆動部材保持部と、第１及び第２駆動部材保持部に備えられるレンズホルダを駆動するための駆動部材と、第１及び第２駆動部材保持部を接続する補強部材を有することを特徴とする。
【００１０】
また、本発明に係る記録媒体再生装置は、記録媒体から光を受光する第１レンズと、記録媒体から光を受光する第２レンズと、第１及び第２レンズを保持するレンズホルダと、レンズホルダの略両側にそれぞれ配置される第１及び第２駆動部材保持部と、第１及び第２駆動部材保持部に備えられるレンズホルダを駆動するための駆動部材と、第１及び第２駆動部材保持部を接続する補強部材を有するピックアップ装置と、ピックアップ装置を移動させる移動手段を有することを特徴とする。
【発明の効果】
【００１１】
本発明に係るに係るピックアップ装置及び記録媒体再生装置によれば、複数の対物レンズの略中間であって、複数の対物レンズを駆動するための駆動部を有する両脇に配置された側部を接続するように、補強部材を配置したので、レンズ側に偏移した重心をピックアップ装置のほぼ中心とすることができ、ピックアップ装置の移動制御をスムーズに行うことが可能となった。
【００１２】
また、本発明に係るに係るピックアップ装置及び記録媒体再生装置によれば、補強部材が複数のレンズ間の重量バランスを取ることができるので、複数の対物レンズ間の重量差によって偏移した重心をレンズ可動部のほぼ中心とすることができ、ピックアップ装置の移動制御をスムーズに行うことが可能となった。
【００１３】
さらに、本発明に係るに係るピックアップ装置及び記録媒体再生装置によれば、補強部材を金属材料により形成した場合には、対物レンズの駆動コイルの放熱板として機能させることが可能となった。
【００１４】
さらに、本発明に係るに係るピックアップ装置及び記録媒体再生装置によれば、補強部材を複数の対物レンズを駆動するための駆動部を有する両脇に配置された側部間を接続するように配置したので、補強部材を利用して効率良く両脇に配置された側部間の駆動コイルを接続することが可能となった。
【発明を実施するための最良の形態】
【００１５】
以下図面を参照して、本発明に係るピックアップ装置及び記録媒体再生装置について説明する。但し、本発明の技術的範囲はそれらの実施の形態に限定されず、特許請求の範囲に記載された発明とその均等物に及ぶ点に留意されたい。
【００１６】
図１は記録媒体と光学ヘッドとの関係を示す図であり、図２は図１におけるＡＡ´概略断面図である。
【００１７】
記録媒体再生装置１は、ＣＤ、ＤＶＤ、ＢＤ（Blue-ray Disc）、ＨＤ−ＤＶＤ（High Definition Digital Versatile Disc)、ＭＤ等の記録媒体２から光学情報を再生（及び／又は記録）するための各種要素を有する光学ヘッド３、光学ヘッド３を駆動モータ６によって記録媒体２の半径方向Ｂに沿って移動させるための主軸としてのリードスクリュー（送りねじ）４及び副軸としてのガイド７等を有している。
【００１８】
光学ヘッド（ピックアップ）３は、図１に示す様に、リードスクリュー４と係合するための案内部５、ガイド７と係合するための係合部８、ＣＤ及びＤＶＤから情報を再生するための第１対物レンズ１１、ＢＤ（又はＨＤ−ＤＶＤ）用の記録媒体２から情報を再生するための第２対物レンズ１２等を有している。
【００１９】
また、光学ヘッド３には、図２に示す様に、第１対物レンズ１１及び第２対物レンズ１２等を保持するピックアップ装置１０、ピックアップ装置１０を支持ワイヤによって可動自在に支持する支持部２０、ＢＤ用光学系、ＤＶＤ及びＣＤ用光学系等が配置されている。
【００２０】
第１対物レンズ１１は、ＣＤ及びＤＶＤ記録媒体再生用の開口率（例えば、ＮＡ＝０．６０）及び焦点距離（例えば、０．６ｍｍ）を有するプラスチックレンズであり、第２対物レンズ１２は、ＢＤ記録媒体再生用の開口率（例えば、ＮＡ＝０．８５）及び焦点距離（例えば、０．１ｍｍ）を有するガラスレンズである。
【００２１】
光学ヘッド３において、ＤＶＤ及びＣＤ用の第１レーザダイオード４０から出射された光ビーム（波長６５０ｎｍ）は、第１ビームスプリッタ４２を通過後、第１コリメートレンズ４１によって平行光に変換され、第１立上ミラー４４で光路を約９０度曲げられて第１対物レンズ１１に入射し、第１対物レンズ１１によってＤＶＤ又はＣＤ用記録媒体のトラック面上に集光される。集光された光ビームは、ＤＶＤ又はＣＤ用記録媒体のトラック面上で反射され、再度第１対物レンズ１１及び第１立上ミラー４４及び第１コリメートレンズ４１を介して第１ビームスプリッタ４２に入射する。第１ビームスプリッタ４２に入射した光ビームは光路を約９０度曲げられて第１フォトディテクタ４３上に集光される。
【００２２】
第１フォトディテクタ４３は、入射ビームに基づいて、ピックアップ装置１０を駆動して第１対物レンズ１１を適切に可動するための第１フォーカスエラー信号及び第１トラッキングエラー信号と、ＤＶＤ及びＣＤ用記録媒体からの再生信号を出力する。
【００２３】
また、光学ヘッド３において、ＢＤ用の第２レーザダイオード４５から出射された光ビーム（波長４０５ｎｍ）は、第２ビームスプリッタ４７を通過後、第２コリメートレンズ４６によって平行光に変換され、第２立上ミラー４９で光路を約９０度曲げられて第２対物レンズ１２に入射し、第２対物レンズ１２によってＢＤ用記録媒体のトラック面上に集光される。集光された光ビームは、ＢＤ用記録媒体のトラック面上で反射され、再度第２対物レンズ１２及び第２立上ミラー４９及び第２コリメートレンズ４６を介して第２ビームスプリッタ４７に入射する。第２ビームスプリッタ４７に入射した光ビームは光路を約９０度曲げられて第２フォトディテクタ４８上に集光される。
【００２４】
第２フォトディテクタ４８は、入射ビームに基づいて、レンズ可動部１０を駆動して第２対物レンズ１２を適切に可動するための第２フォーカスエラー信号及び第２トラッキングエラー信号と、ＢＤ用記録媒体からの再生信号を出力する。
【００２５】
図３は、ピックアップ装置の概略構成を示す図である。
【００２６】
ピックアップ装置１０は、更に、駆動部材として機能する第１トラッキング用コイル７１、第２トラッキング用コイル７２、第３トラッキング用コイル７３、第１トラッキング用コイル７４、第１フォーカシング用コイル７５及び第２フォーカシング用コイル７６を有している。また、ピックアップ装置１０は、第１対物レンズ１１及び第２対物レンズ１２を保持するレンズホルダ部１５、第１トラッキング用コイル７１、第２トラッキング用コイル７２及び第１フォーカシング用コイル７５を配置し且つ駆動部材保持部として機能する第１側部１６、第３トラッキング用コイル７３、第４トラッキング用コイル７４及び第２フォーカシング用コイル７６を配置し且つ駆動部材保持部として機能する第２側部１７、第１側部１６及び第２側部１７を接続する補強部材５０等から構成される。
【００２７】
レンズホルダ部１５を含むピックアップ装置１０は、第１支持ワイヤ６０、第２支持ワイヤ６１、第３支持ワイヤ６２、及び第４支持ワイヤ６３によって、光学ヘッド３に配置された固定部材２０に対して可動可能に弾性支持されている。
【００２８】
また、光学ヘッド３には、図３に示すように、第１バックヨーク２１、第２バックヨーク２２、第１センタヨーク２７及び第２センタヨーク２８から一体的に構成されたマグネットヨーク２９が設けられている。また、第１バックヨーク２１には、第１磁石２３及び第４磁石２６が配置され、第２バックヨーク２２には第２磁石２４及び第３磁石２５が固定されている。なお、図３において、説明の便宜上、固定部材２０は光学ヘッド３から分離されているが、実際は、マグネットヨーク２９と接合され、光学ヘッド３上に固定されている。
【００２９】
したがって、ピックアップ装置１０の第１側部１６に設けられた開口部に第１センタヨーク２７が挿入され、第２側部１７に設けられた開口部に第２センタヨーク２８が挿入され、第１トラッキング用コイル７１と第１磁石２３が対向し、第２トラッキング用コイル７２と第２磁石２４が対向し、第３トラッキング用コイル７３と第３磁石２５が対向し、第４トラッキング用コイル７４と第４磁石２６が対向するようにして、ピックアップ装置１０が支持ワイヤ６０〜６３によって支持されている。
【００３０】
トラッキング用コイル７１〜７４と、マグネットヨーク２９及び磁石２３〜２６から構成された磁気回路との相互作用によって、ピックアップ装置１０は、矢印Ｃ（トラッキング方向）に移動可能である。また、フォーカシング用コイル７５及び７６と、マグネットヨーク２９及び磁石２３〜２６から構成された磁気回路との相互作用によって、ピックアップ装置１０は、矢印Ｄ（フォーカシング方向）に移動可能である。また、第１側部１６及び第２側部１７の開口部と第１及び第２案内部材２７及び２８との間には所定の空間が設けられており、空間の許す範囲内で、ピックアップ装置１０が、トラッキング方向Ｃ及びフォーカシング方向Ｄに移動して、記録媒体のトラック面の所定の位置に追従するように制御される。なお、トラッキング方向Ｃは、記録媒体２の半径方向Ｂと一致するように配置されている。
【００３１】
図４は、フォトディテクタの概略構成を示す図である。
【００３２】
第１フォトディテクタ４３は、図４に示すように、Ａ〜Ｆの６個の検出素子から構成されており、各検出素子は受光量に応じた電圧を発生するように構成されている。第１対物レンズ１１が良好に記録媒体の所定のトラック上に光スポットを集光させている場合には、Ａ〜Ｄの４つの検出素子の中央部に、記録媒体２から反射されてフォトディテクタに戻って来た光ビームのスポットの中心が一致するように構成されている。第１対物レンズ１１による光スポットの位置がずれると、それに応じて、Ａ〜Ｆの６個の検出素子上に集光される光スポットの位置も中心からずれる。
【００３３】
そこで、第１アンプ８０から、（Ａ＋Ｃ）−（Ｂ＋Ｄ）の電圧を増幅してフォーカスエラー信号（ＦＥ信号）を出力し、第２アンプ８１から、（Ｅ−Ｆ）の電圧を増幅してトラッキングエラー信号（ＴＥ信号）を出力する。不図示の制御部（ＣＰＵ，ＲＯＭ、ＲＡＭ等を含む）が、ＦＥ信号及びＴＥ信号に応じて、トラッキング用コイル７１〜７６及びフォーカシング用コイル７５〜７６を駆動することによって、第１対物レンズ１１によって集光される光スポットの位置を記録媒体２上の所定のトラック上に常に追従させることが可能となる。
【００３４】
なお、第２フォトディテクタ４８からのＦＥ信号及びＴＥ信号の出力、及び第２対物レンズ１２の駆動についても上記と同様であるので、説明を省略する。
【００３５】
図５（ａ）は補強部材を取り付ける前の状態を示す図であり、図５（ｂ）は補強部材を装着後の状態を示す図である。
【００３６】
補強部材５０は、第１対物レンズ１１と第２対物レンズ１２とのほぼ中間の位置に配置されている。したがって、ピックアップ装置１０を固定部材２０で支持した場合に、補強部材５０がちょうど第１立上ミラー４４と第２立上ミラー４９との間の空間に配置されることとなる（図２参照）。このような配置関係であることから、ピックアップ装置１０が、トラッキング方向Ｃ及びフォーカシング方向Ｄに適切に移動された場合でも、第１立上ミラー４４及び第２立上ミラー４９と、補強部材５０とが干渉することがない。また、このような配置関係であることから、ピックアップ装置１０を第１立上ミラー４４と第２立上ミラー４９へ近接して配置でき、光学ヘッド３の高さを低く抑えることができるというメリットがある。
【００３７】
なお、記録媒体の記録密度が高くなるに従い、ＮＡが大きい対物レンズを用いることとなるため、対物レンズは光ディスク等の記録媒体により近接配置する必要が生じる。即ち、レンズ保持部１５は記録媒体２側に配置され、その両脇に第１側部１６及び第２側部１７が配置されることとなる。してみると、それだけの構造では、ピックアップ装置全体の重心は、対物レンズ側に偏移することとなる。これに対して、第１対物レンズ１１と第２対物レンズ１２とのほぼ中間の位置であって、第１側部１６及び第２側部１７を接続するように補強部材５０を配置したので、ピックアップ装置１０全体の重心が、よりフォーカシング方向Ｄの図中下側、即ちピックアップ装置１０の中心部に移動させることができる。
【００３８】
また、補強部材５０は、第１端末部５１及び第２端末部５２を有しており、第１端末部５１及び第２端末部５２が、第１対物レンズ１１側に張り出して配置されている。これは、第１対物レンズ１１がプラスチックレンズであり、第２対物レンズ１２がガラスレンズであって、重量差があることから、ピックアップ装置１０全体の重心が第２レンズ１２側に偏移するのを補償するためである。即ち、補強部材５０の第１端末部５１及び第２端末部５２は、ピックアップ装置１０全体の重心をレンズ可動部１０のより中心部に配置できるようにするための、ウエイトバランサとして機能している。ピックアップ装置１０は、瞬時にトラッキング方向Ｃ及びフォーカシング方向Ｄに移動されなければならないことから、その重心が中心部に位置していないと、移動制御が困難となる場合がある。よって、補強部材５０は、ピックアップ装置１０のウエイトバランサとして機能することによって、ピックアップ装置１０の移動制御をよりスムーズに行えるようにする効果を有している。なお、図示した端末部５１及び５２の形状は一例であって、第１対物レンズ１１と第２対物レンズ１２との重量差を補償できる形状であれば、他の形状を採用することが可能である。
【００３９】
さらに、補強部材５０は、アルミニウムによって成形されており、第１端末部５１は第１フォーカシング用コイル７５と近接して配置され、第２端末部５２は第２フォーカシング用コイル７６と近接して配置されている。したがって、補強部材５０は、第１フォーカシング用コイル７５及び第２フォーカシング用コイル７６が発熱した場合の、放熱材として機能する。特に、ピックアップ装置１０は、様々な記録媒体のそれぞれのフォーカス位置へオフセット駆動する必要があり、特にフォーカシング用コイルが加熱する傾向にあることから、補強部材５０は、そのようなフォーカシング用コイルの加熱を防止することができるという効果を有する。なお、補強部材５０は、熱伝導又は放熱性の良いものであれば、アルミニウム以外の他の金属材料、例えば銅又はタングステン等によって成形されても良い。
【００４０】
さらに、補強部材５０は、第１側部１６と第２側部１７とを接続するように配置されている。例えば、図６（ａ）に示すように補強部材を設けないピックアップ装置１０´の場合、移動によって、第１側部１６´及び第２側部１７´に矢印Ｅの方向に、構造固有の構造共振モードによるバタツキモードが、構造が弱いために低い周波数で発生し、異音や移動制御異常が発生するという問題が起こる可能性がある。そこで、図６（ｂ）に示すように補強部材５０によって第１側部１６及び第２側部１７を接続して、矢印Ｅの方向の力に対する構造を強化したので、構造共振モードの発生周波数が高くなり、共振や移動制御異常の発生を防止することが可能となった。
【００４１】
さらに、補強部材５０は、溝部５３を有しており、溝部５３は第１側部１６側のコイルと第２側部１７側のコイルを接続するための接続線の配線場所として機能している。
【００４２】
図７（ａ）に示すように、第４支持ワイヤ６３、第２フォーカシング用コイル７６、第１接続線８０、第１フォーカシング用コイル７５、及び第１支持ワイヤ６０が、その順で接続され、フォーカシング移動制御用の配線経路が形成されている。なお、第１フォーカシング用コイル７５及び第２フォーカシング用コイル７６を接続する第１接続線８０は、補強部材５０の溝部５３に沿って配線されている。
【００４３】
図７（ｂ）に示すように、第３支持ワイヤ６２、第３トラッキング用コイル７３、第４トラッキング用コイル７４、第２接続線８１、第１トラッキング用コイル７１、第２トラッキング用コイル７２、及び第２支持ワイヤ６１が、その順で接続され、トラッキング移動制御用の配線経路が形成されている。なお、第２トラッキング用コイル７２及び第３トラッキング用コイル７３を接続する第２接続線８１は、補強部材５０の溝部５３に沿って配線されている。
【００４４】
第１及び第２接続線を第１及び第２対物レンズ付近に配置すると、配線経路が長くなり、配線の手間が増えるので、コストアップにつながるという不具合がある。したがって、補強部材５０は、上記の不具合を解消することができるという効果を有している。
【図面の簡単な説明】
【００４５】
【図１】記録媒体と光学ヘッドとの関係を示す図である。
【図２】図１におけるＡＡ´概略断面図である。
【図３】ピックアップの概略構成を示す図である。
【図４】フォトディテクタの概略構成を示す図である。
【図５】補強部材を説明するための図（１）である。
【図６】補強部材を説明するための図（２）である。
【図７】コイルの配線経路を示す図である。
【符号の説明】
【００４６】
１    記録媒体再生装置
３    光学ヘッド
１０    ピックアップ装置
１１    第１対物レンズ
１２    第２対物レンズ
１５    レンズホルダ部
１６    第１側部
１７    第２側部
２０    固定部
５０    補強部材
５１    第１端末部
５２    第２端末部
５３    溝部
７１、７２、７３、７４    トラッキング用コイル
７５、７６    フォーカシング用コイル
【図１】
2009032316.tif 000003
【図２】
2009032316.tif 000004
【図３】
2009032316.tif 000005
【図４】
2009032316.tif 000006
【図５】
2009032316.tif 000007
【図６】
2009032316.tif 000008
【図７】
2009032316.tif 000009